(57)【要約】【課題】切離状態にある電源側のランプ電源コネクタに異物が触れないようにした光源装置およびこの光源装置を有する投射型表示装置を提供する。【解決手段】プロジェクタ装置１は、白色光を照射する光源装置１００と、白色光について偏光方向を揃えるとともに赤色光、緑色光、青色光の３色光に分離する導光装置２００と、分離した各色光を光変調するとともに光変調した各色光を合成する光変調・合成装置３００と、光合成した投射光をスクリーンに投射する投射光学系４００とを具備している。光源装置１００は、ランプハウジング１０３にコネクタホルダ１１２を設け、コネクタホルダ１１２に雌型電源コネクタ１１１Ａを取付ける。コネクタホルダ１１２にて雌型電源コネクタ１１１Ａにランプホルダ１０２側の雄型電源コネクタ１１１Ｂを挿込む開口側にシャッタ１５１を設け、ランプホルダ１０２をランプハウジング１０３から取外したときにコネクタホルダ１１２の開口側をシャッタ１５１で閉じる。【選択図】        図１
2004233565.tif 000002
【特許請求の範囲】
【請求項１】
ランプを保持するランプホルダと、
ランプホルダを着脱可能に収容するランプハウジングと、
ランプハウジングに設けられランプホルダに対向して開口する開口部を有したコネクタホルダと、
コネクタホルダに取付けられ電力が供給される電源側ランプ電源コネクタと、
ランプホルダに取付けられランプハウジングに対するランプホルダの着脱によりコネクタホルダの開口部を経てコネクタホルダ内の電源側ランプ電源コネクタと電気的に接離され接続時ランプに電力を供給するランプ側ランプ電源コネクタと、
コネクタホルダの開口部に設けられランプホルダがランプハウジングから取外されたときにコネクタホルダの開口部を閉じるシャッタと
を具備したことを特徴とする光源装置。
【請求項２】
ランプホルダがランプハウジングから取外されたときにシャッタをコネクタホルダの開口部側に作動させてこの開口部を閉鎖するシャッタ閉鎖手段と、
ランプホルダがランプハウジングから取外されたときに閉鎖されたシャッタをロックする開放禁止手段と
を具備したことを特徴とする請求項１記載の光源装置。
【請求項３】
ランプホルダをランプハウジングに装着するときに開放禁止手段のロックを解除するロック解除手段と、
ロック解除されたシャッタを開放方向に作動するシャッタ開放手段と
を具備したことを特徴とする請求項２記載の光源装置。
【請求項４】
ランプ側ランプ電源コネクタは、雄型電源コネクタであり、
電源側ランプ電源コネクタは、雄型電源コネクタと嵌合する雌型電源コネクタである
ことを特徴とする請求項１乃至３のいずれか記載の光源装置。
【請求項５】
白色光を照射する請求項１乃至４のいずれか記載の光源装置と、
光源装置から照射された白色光について偏光方向を揃えるとともに複数の色光に分離する導光装置と、
導光装置により分離された各色光を光変調するとともに光変調された各色光を合成する光変調・合成装置と、
光変調・合成装置で光合成された投射光をスクリーンに投射する投射光学系とを具備したことを特徴とする投射型表示装置。
【発明の詳細な説明】
【０００１】
【発明の属する技術分野】
本発明は、ランプホルダとランプハウジングとを着脱可能にした光源装置、およびこの光源装置を有する投射型表示装置に関する。
【０００２】
【従来の技術】
ランプをハウジング内に収容するとともに、このハウジングを投射表示装置本体内に着脱可能に装着し、ランプ交換作業を容易にできるようにしたプロジェクタ装置が開示されている。
【０００３】
この場合、ランプへの電力の供給は、ハウジングの着脱と対応して接続と切離とがなされるランプ電源コネクタを介して行われる。
【０００４】
すなわち、ハウジングに設けられたランプ側のランプ電源コネクタと、投射表示装置本体内に設けられた電源側のランプ電源コネクタとを、ハウジングの着脱と対応して接続したり切離したりするようにしている（例えば、特許文献１参照）。
【０００５】
【特許文献１】
特開平１１−２３１４１３号公報（第３−４頁、図４−７）
【０００６】
【発明が解決しようとする課題】
そのため、ハウジングを投射表示装置本体から取外しているときに、投射表示装置本体側すなわち電源側のランプ電源コネクタは、その電極が露出状態となるので、この電源側のランプ電源コネクタの電極に異物が触れるおそれがある。
【０００７】
本発明は、このような点に鑑みなされたもので、切離状態にある電源側のランプ電源コネクタに異物が触れないようにした光源装置およびこの光源装置を有する投射型表示装置を提供することを目的とするものである。
【０００８】
【課題を解決するための手段】
請求項１に記載された発明は、ランプを保持するランプホルダと、ランプホルダを着脱可能に収容するランプハウジングと、ランプハウジングに設けられランプホルダに対向して開口する開口部を有したコネクタホルダと、コネクタホルダに取付けられ電力が供給される電源側ランプ電源コネクタと、ランプホルダに取付けられランプハウジングに対するランプホルダの着脱によりコネクタホルダの開口部を経てコネクタホルダ内の電源側ランプ電源コネクタと電気的に接離され接続時ランプに電力を供給するランプ側ランプ電源コネクタと、コネクタホルダの開口部に設けられランプホルダがランプハウジングから取外されたときにコネクタホルダの開口部を閉じるシャッタとを具備した光源装置であり、電源側ランプ電源コネクタをコネクタホルダで覆うとともに、ランプハウジングからランプホルダが取外されたときは、コネクタホルダの開口部をシャッタで閉じるようにしたので、このシャッタによって、ランプ側ランプ電源コネクタから切離状態にある電源側ランプ電源コネクタに異物が触れるおそれを防止できる。
【０００９】
請求項２に記載された発明は、請求項１記載の光源装置において、ランプホルダがランプハウジングから取外されたときにシャッタをコネクタホルダの開口部側に作動させてこの開口部を閉鎖するシャッタ閉鎖手段と、ランプホルダがランプハウジングから取外されたときに閉鎖されたシャッタをロックする開放禁止手段とを具備した光源装置であり、ランプホルダがランプハウジングから取外されたときに、シャッタ閉鎖手段によりシャッタをコネクタホルダの開口部側に作動させてこの開口部を閉鎖するとともに、この閉鎖状態にあるシャッタを開放禁止手段により開放しないようにロックするので、シャッタの閉鎖状態を確実に維持して、電源側ランプ電源コネクタに異物が触れるおそれを確実に防止できる。
【００１０】
請求項３に記載された発明は、請求項２記載の光源装置において、ランプホルダをランプハウジングに装着するときに開放禁止手段のロックを解除するロック解除手段と、ロック解除されたシャッタを開放方向に作動するシャッタ開放手段とを具備した光源装置であり、ランプホルダをランプハウジングに装着するときにロック解除手段を機能させて開放禁止手段のロックを解除するとともに、このロック解除されたシャッタをシャッタ開放手段により開放方向に作動するので、シャッタがあるにもかかわらず、ランプ側ランプ電源コネクタを電源側ランプ電源コネクタに容易に接続できるとともに、ランプホルダをランプハウジングに容易に装着できる。
【００１１】
請求項４に記載された発明は、請求項１乃至３のいずれか記載の光源装置におけるランプ側ランプ電源コネクタが、雄型電源コネクタであり、電源側ランプ電源コネクタが、雄型電源コネクタと嵌合する雌型電源コネクタである光源装置であり、電源側ランプ電源コネクタを雌型電源コネクタとしたので、雄型電源コネクタとした場合に比べ、異物が電極に触れるおそれを、より確実に防止できる。
【００１２】
請求項５に記載された発明は、白色光を照射する請求項１乃至４のいずれか記載の光源装置と、光源装置から照射された白色光について偏光方向を揃えるとともに複数の色光に分離する導光装置と、導光装置により分離された各色光を光変調するとともに光変調された各色光を合成する光変調・合成装置と、光変調・合成装置で光合成された投射光をスクリーンに投射する投射光学系とを具備した投射型表示装置であり、光源装置、導光装置、光変調・合成装置および投射光学系を備えた投射型表示装置において、光源装置のランプを交換する際などに、ランプ側ランプ電源コネクタから切離状態にある電源側ランプ電源コネクタに異物が触れるおそれをシャッタによって防止できる。
【００１３】
【発明の実施の形態】
以下、本発明を図面に示された一実施の形態を参照しながら詳細に説明する。
【００１４】
図１に示されるように、投射型表示装置すなわちプロジェクタ装置１は、ユニット化された光源装置１００、導光装置２００、光変調・合成装置３００および投射光学系４００と、これらのユニット化された各装置を収容する外装キャビネット（図示せず）とから構成されている。
【００１５】
光源装置１００は、ランプとしての白色光源であるメタルハライドランプ（以下、単に「ランプ」という）１０１を備え、導光装置２００に向けて白色光を投射する。
【００１６】
ランプ１０１は、ランプホルダ１０２に保持された状態で、外装キャビネット（図示せず）の内側に設けられたランプハウジング１０３内に収容されている。
【００１７】
ランプホルダ１０２およびランプハウジング１０３は、それぞれ絶縁性を有する合成樹脂により成形されたもので、ランプホルダ１０２は、ランプハウジング１０３の下側からランプハウジング１０３内に着脱自在に嵌着されている。
【００１８】
ランプハウジング１０３の投光側とは反対側には、ファン装着口部１０４が形成され、このファン装着口部１０４にランプ冷却用の冷却ファン１０５が嵌着されている。
【００１９】
導光装置２００は、ランプ１０１から照射された白色光について、偏光分離手段（図示せず）により、偏光方向を揃えるとともに、ダイクロイック・ミラー（図示せず）により、複数の色光、すなわち、赤色光、緑色光、青色光の３色光に分離する機能を有している。
【００２０】
偏光分離手段、ダイクロイック・ミラーなどの光学要素は、導光装置ハウジング２０１内に収納されている。
【００２１】
光変調・合成装置３００は、導光装置２００により分離された各色光を、液晶パネル（図示せず）により光変調するとともに、ダイクロイック・クロスプリズム（図示せず）により、光変調された各色光を合成して投射光学系４００に導く機能を有している。
【００２２】
液晶パネル、ダイクロイック・クロスプリズムなどの光学要素は、液晶・プリズム保持手段３０１に保持されている。
【００２３】
投射光学系４００は、光変調・合成装置３００で光合成された投射光をスクリーンに投射する機能を有している。
【００２４】
ランプハウジング１０３と導光装置ハウジング２０１とは、導光装置ハウジング２０１側のボス２０２とランプハウジング１０３側のボス孔１０６との嵌合により位置決めされた状態で、ランプハウジング１０３側のねじ挿入孔１０７に挿入されて導光装置ハウジング２０１側に螺合されたねじ（図示せず）により一体的に取付けられている。
【００２５】
導光装置ハウジング２０１と液晶・プリズム保持手段３０１、および液晶・プリズム保持手段３０１と投射光学系４００についても互いに一体的に取付けられている。
【００２６】
これらの光源装置１００、導光装置２００、光変調・合成装置３００および投射光学系４００は、上述のように互いに一体的に取付けられた状態で、外装キャビネット（図示せず）に収容されている。
【００２７】
そして、光源装置１００から導光装置２００に向けて白色光を投射し、この白色光について、導光装置２００の偏光分離手段（図示せず）により、偏光方向を揃えるとともに、ダイクロイック・ミラー（図示せず）により、赤色光、緑色光、青色光の３色光に分離し、これらの分離された各色光を、光変調・合成装置３００の液晶パネル（図示せず）により光変調するとともに、これらの光変調された各色光を、ダイクロイック・クロスプリズム（図示せず）により合成して投射光学系４００に導き、この光合成された投射光を、投射光学系４００によりスクリーンに投射する。
【００２８】
次に、光源装置１００の構成を説明する。
【００２９】
図１に示されるように、光源装置１００は、外装キャビネット（図示せず）内に装着されたランプハウジング１０３と、このランプハウジング１０３内に嵌込み装着されて収容されたランプホルダ１０２を備えている。
【００３０】
外装キャビネット（図示せず）の下側面には、ランプホルダ１０２を外装キャビネットの外側からランプハウジング１０３内に装着できるように、開口部（図示せず）が形成されている。
【００３１】
ランプホルダ１０２は、この外装キャビネット下側面の開口部を通して、ランプハウジング１０３に対して装着されるとともに、ランプハウジング１０３から取外される。
【００３２】
ランプホルダ１０２およびランプハウジング１０３には、嵌脱により相互に接続および切離し可能のランプ電源コネクタ１１１が取付けられている。
【００３３】
このランプ電源コネクタ１１１は、ランプハウジング１０３側に設けられた、電源から電力が供給される電源側ランプ電源コネクタとしての雌型電源コネクタ１１１Ａと、ランプホルダ１０２側に設けられた、ランプ１０１に電力を供給するランプ側ランプ電源コネクタとしての雄型電源コネクタ１１１Ｂとを備えている。
【００３４】
図２に示されるように、ランプハウジング１０３には、雌型電源コネクタ１１１Ａを保持するコネクタホルダ１１２が一体的に形成されている。
【００３５】
このコネクタホルダ１１２は、ランプハウジング１０３の一側部を膨出するようにコネクタホルダ外側板部１１２Ａが形成され、このコネクタホルダ外側板部１１２Ａの上面板部１１３は、ランプハウジング１０３の上面より下段に形成され、この上面板部１１３に、雌型電源コネクタ１１１Ａを嵌着するためのコネクタ嵌着穴１１４が形成されている。
【００３６】
図３に示されるように、ランプハウジング１０３は、下面にランプホルダ１０２を嵌着するための開口部１１５を有し、ランプハウジング１０３の内側部には、コネクタホルダ１１２のコネクタホルダ外側板部１１２Ａより上側に位置する２箇所に、ねじ螺合ボス部１１６がそれぞれ一体成形されている。
【００３７】
これらのねじ螺合ボス部１１６には、図１４に示されるように別体に成形されたコネクタホルダ内側板部１１２Ｂがねじ止めされている。
【００３８】
すなわち、図１４に示されるように、２箇所のねじ螺合ボス部１１６に、コネクタホルダ内側板部１１２Ｂの上部にそれぞれ一体成形されたねじ止部１１７のねじ挿入溝１１８がそれぞれ位置合せされ、これらのねじ挿入溝１１８を挿通してねじ螺合ボス部１１６に螺合されたねじ（図示せず）によりコネクタホルダ内側板部１１２Ｂが固定されている。
【００３９】
コネクタホルダ１１２を形成するコネクタホルダ外側板部１１２Ａおよびコネクタホルダ内側板部１１２Ｂで囲まれた内部空間は、雌型電源コネクタ１１１Ａの収納空間であり、このコネクタホルダ１１２の下部には、ランプホルダ１０２の差込方向と対向して開口するとともにランプホルダ１０２の雄型電源コネクタ１１１Ｂが雌型電源コネクタ１１１Ａに接続されるときに挿入される開口部１１９が設けられている。
【００４０】
雄型電源コネクタ１１１Ｂは、ランプホルダ１０２に取付けられ、ランプハウジング１０３に対するランプホルダ１０２の着脱によりコネクタホルダ１１２の開口部１１９を経てコネクタホルダ１１２内の雌型電源コネクタ１１１Ａと電気的に接離され、接続時ランプに電力を供給する。
【００４１】
このようにして、コネクタホルダ１１２は、コネクタホルダ外側板部１１２Ａおよびコネクタホルダ内側板部１１２Ｂにより、上記開口部１１９を除いて、雌型電源コネクタ１１１Ａの周側面を囲むように形成されている。
【００４２】
さらに、図２および図３に示されるように、ランプハウジング１０３には、コネクタホルダ１１２と隣接する側面部１２１と、反対側の側面部１２２とに、ランプホルダ１０２の嵌脱動作を案内する上下方向の凹溝部１２３がそれぞれ形成されている。
【００４３】
また、コネクタホルダ１１２と隣接する角部には、ランプハウジング１０３とランプホルダ１０２とを結合する結合部１２４が一体に形成され、同側面の反対側には、ランプハウジング１０３と導光装置ハウジング２０１とを結合する結合部１２５が一体に形成されている。
【００４４】
次に、図４に示されるように、ランプホルダ１０２には、雄型電源コネクタ１１１Ｂを保持する１対のコネクタホルダ１２６Ａ，１２６Ｂが、底板部１２７より上方へ一体的に形成されている。
【００４５】
底板部１２７の角部上に位置するコネクタホルダ１２６Ａには、ロック解除杆１２８が一体に形成され、コネクタホルダ１２６Ａより上側に突出している。
【００４６】
同様に、対向するコネクタホルダ１２６Ｂには、シャッタ開放手段としてのシャッタ押動杆１２９が一体に形成され、コネクタホルダ１２６Ｂより上側に突出している。
【００４７】
また、底板部１２７のランプ設置側には、ランプ１０１を保持するための爪１３１、ランプ１０１から照射された白色光を投射する投光窓１３２を有する前板部１３３がそれぞれ一体成形され、この前板部１３３の左右部には、底板部１２７とも一体成形された側板部１３４がそれぞれ一体に形成されている。
【００４８】
これらの左右の側板部１３４の外側面には、ランプハウジング１０３の凹溝部１２３内に摺動自在に嵌合して、ランプホルダ１０２の嵌脱動作を案内する上下方向の凸条部１３５が、それぞれ形成されている。
【００４９】
また、角部のコネクタホルダ１２６Ａの根元部分には、ランプハウジング１０３の結合部１２４と結合される結合部１３６が一体に形成されている。
【００５０】
さらに、図５に示されるように、ランプホルダ１０２の底板部１２７のランプ設置側端には、導光装置ハウジング２０１の下側部に設けられた位置決め用ボス（図示せず）と嵌合するボス孔部１３７と、導光装置ハウジング２０１の下側部にねじ（図示せず）により固定されるねじ孔部１３８とが、それぞれ一体に形成されている。
【００５１】
図６乃至図９に示されるように、雌型電源コネクタ１１１Ａと雄型電源コネクタ１１１Ｂは、ランプホルダ１０２をランプハウジング１０３に装着するときに、雄型電源コネクタ１１１Ｂが雌型電源コネクタ１１１Ａに差し込まれるように、互いに位置設定されている。
【００５２】
雌型電源コネクタ１１１Ａは、点線で示された電源コード１４１を介して電源部に接続されている。
【００５３】
したがって、ランプホルダ１０２をランプハウジング１０３に装着して、雌型電源コネクタ１１１Ａと雄型電源コネクタ１１１Ｂとを接続すると、ランプ１０１への通電が可能な状態となる。
【００５４】
雌型電源コネクタ１１１Ａは、雌型電極部（図示せず）の周りを筒体１４２で囲み、雌型電極部に手指、工具などの異物が触れるおそれを防止するようにしている。一方、雄型電源コネクタ１１１Ｂについても、同様に雄型電極部１４３の周りを筒体１４４で囲っている。
【００５５】
筒体１４２と筒体１４４は、筒体１４２が筒体１４４内に挿入されるようになっている。つまり、雌型電源コネクタ１１１Ａが雄型電源コネクタ１１１Ｂに接続された状態で、筒体１４２が筒体１４４内に挿入されるようになっている。
【００５６】
ランプホルダ１０２をランプハウジング１０３内に下方から装着するときに、ランプホルダ１０２のコネクタホルダ１２６Ａ，１２６Ｂが、ランプハウジング１０３のコネクタホルダ１１２内に嵌め込まれるように、コネクタホルダ１２６Ａ，１２６Ｂの外側の大きさは、コネクタホルダ１１２の内側の大きさよりやや小さめに形成されている。
【００５７】
図１０乃至図１２に示されるように、ランプハウジング１０３のコネクタホルダ１１２の内側であって、雌型電源コネクタ１１１Ａに雄型電源コネクタ１１１Ｂが挿込まれる側に開口部１１９が設けられ、この開口部１１９には、開口部１１９を開閉するシャッタ１５１が設けられている。
【００５８】
このように、光源装置１００は、ランプ１０１と、ランプ１０１を保持するランプホルダ１０２と、外装キャビネット（図示せず）の側に設けられ、ランプホルダ１０２が着脱されるランプハウジング１０３と、ランプハウジング１０３に取付けられた雌型電源コネクタ１１１Ａと、ランプホルダ１０２に取付けられ雌型電源コネクタ１１１Ａと嵌脱可能な雄型電源コネクタ１１１Ｂと、ランプハウジング１０３内の雌型電源コネクタ１１１Ａに雄型電源コネクタ１１１Ｂが挿込まれる側に設けられたシャッタ１５１とを備えている。
【００５９】
次に、このシャッタ１５１に関連する構造を説明する。
【００６０】
図１３に示されるように、シャッタ１５１には回動軸１５２が一体に形成され、この回動軸１５２が、コネクタホルダ内側板部１１２Ｂに一体成形された一対の軸受部１５３，１５４に回動自在に嵌着され、この回動軸１５２を中心にしてシャッタ１５１が回動できるようになっている。
【００６１】
シャッタ１５１の回動軸１５２を挟んだ反対側には、コネクタホルダ内側板部１１２Ｂに係合する係合片部１５５がシャッタ１５１と一体に形成されている。
【００６２】
コネクタホルダ内側板部１１２Ｂの開口部１１９側の縁部には、係合片部１５５と対応する箇所に切欠部１５６が形成されている。
【００６３】
そして、この切欠部１５６と係合片部１５５とは、シャッタ１５１が、開口部１１９を水平な状態で閉じているときに、切欠部１５６に係合片部１５５が係合し、シャッタ１５１のそれ以上の下方への回動を係止している。
【００６４】
つまり、シャッタ１５１は、開口部１１９を水平に閉じた状態から、下側に回動しようとしても、係合片部１５５が切欠部１５６に係止されて、回動できないようになっている。
【００６５】
シャッタ１５１とコネクタホルダ内側板部１１２Ｂとの間には、回動軸１５２の一端部に嵌着された捻りコイルばね（以下、単に「ばね」という）１５７が設けられ、このばね１５７は、コネクタホルダ内側板部１１２Ｂにばね一端部１５８を係止されながら、自由に動き得るばね他端部１５９によりシャッタ１５１を開口部１１９側に回動するように付勢している。
【００６６】
そのため、シャッタ１５１は、係合片部１５５が切欠部１５６に係止された状態で、ばね１５７により開口部１１９側に回動するように付勢され、開口部１１９を閉じる状態が保たれる。
【００６７】
このように、光源装置１００は、係合片部１５５、切欠部１５６、ばね１５７などによって、ランプホルダ１０２がランプハウジング１０３から取外されているときに開口部１１９をシャッタ１５１で閉鎖させるシャッタ閉鎖手段１６０を備えている。
【００６８】
また、図１４に示されるように、コネクタホルダ１１２の回動軸１５２と平行に位置するコネクタホルダ内側板部１１２Ｂの下部には、板ばね１６１が設けられている。
【００６９】
この板ばね１６１は、１枚の金属板から形成されたもので、基端部１６２が、コネクタホルダ内側板部１１２Ｂから突設された１対の規制部１６３に嵌着されるとともに、ビス１６４によりコネクタホルダ内側板部１１２Ｂに固定されている。
【００７０】
板ばね１６１には、このコネクタホルダ内側板部１１２Ｂに固定された基端部１６２に対し、首長状の弾性可撓部１６５を介して、先端側に係止板部１６６が一体成形され、この係止板部１６６が、固定された基端部１６２を支点にして、コネクタホルダ内側板部１１２Ｂに略垂直な方向に動き得るように取付けられている。
【００７１】
板ばね１６１の弾性可撓部１６５は、係止板部１６６がコネクタホルダ内側板部１１２Ｂ側から離反する方向の力を受けると、反返るように撓むとともに、その力に抗してコネクタホルダ内側板部１１２Ｂ側へ復元する方向の付勢力を生ずるようになっている。
【００７２】
この板ばね１６１の係止板部１６６にて、シャッタ１５１の係合片部１５５と対応する位置には、孔部１６７が形成されている。
【００７３】
この孔部１６７の一側内縁には、コネクタホルダ内側板部１１２Ｂから一体に突設されて板ばね１６１の可撓範囲を規制する規制爪部１６８が挿入され、また、孔部１６７の他側内縁には、シャッタ１５１の係合片部１５５が係脱可能に係合されている。
【００７４】
そして、シャッタ１５１が開口部１１９を閉じている状態のとき、係合片部１５５は、切欠部１５６に係止される側とは反対側の面で、孔部１６７の内縁と係合するようになっている。
【００７５】
したがって、シャッタ１５１が開口部１１９を閉じている状態のとき、シャッタ１５１を雌型電源コネクタ１１１Ａの側に回動しようとしても、係合片部１５５が係止板部１６６と孔部１６７の内縁で係合するため、シャッタ１５１はそれ以上回動しないようになっている。つまり、シャッタ１５１は、ロックされた状態となっている。
【００７６】
このように、光源装置１００は、ランプホルダ１０２がランプハウジング１０３から取外されているときに、閉鎖されたシャッタ１５１を開放しないようにロックする、係合片部１５５、板ばね１６１の孔部１６７などによって形成された開放禁止手段１６９を備えている。
【００７７】
また、図１０および図１４に示されるように、ランプホルダ１０２には、ロック解除杆１２８と、ロック解除されたシャッタ１５１を開放するシャッタ開放手段としてのシャッタ押動杆１２９とが設けられているが、このシャッタ開放手段としては、雄形電源コネクタ１１１Ｂの筒体１４４を利用しても良く、すなわち、この筒体１４４でシャッタ１５１を押して、このシャッタ１５１を開放するようにしても良い。
【００７８】
これらのロック解除杆１２８とシャッタ押動杆１２９は、ランプホルダ１０２をランプハウジング１０３に装着するときに、コネクタホルダ１２６Ａ，１２６Ｂとともにコネクタホルダ１１２内に挿入されるようになっている。
【００７９】
一方、図１４に示されるように、板ばね１６１の係止板部１６６にて、孔部１６７が形成された領域と、コネクタホルダ内側板部１１２Ｂと干渉しない先端領域との境界で、下側から切込部１７１が設けられ、図１３に示されるように、この切込部１７１より先端側で板ばね１６１をＶ形に折曲げて形成したカム面１７２が形成されている。
【００８０】
このカム面１７２が、ロック解除杆１２８の上端により押圧されると、図１０から図１１に示されるように、板ばね１６１の係止板部１６６は、コネクタホルダ内側板部１１２Ｂから離間する方向へ作動し、シャッタ１５１の係合片部１５５が、係止板部１６６の孔部１６７から外れ、ロック解除されるので、シャッタ１５１を上方へ開放することができる。
【００８１】
このように、光源装置１００は、ランプホルダ１０２をランプハウジング１０３に装着するときに、ロック解除杆１２８、板ばね１６１のカム面１７２などによって、開放禁止手段１６９のロックを解除するロック解除手段１７３を備えている。
【００８２】
なお、図１４に示されるように、板ばね１６１の基端部１６２に折曲形成されたＬ形部１７４は、一方の軸受部１５４の凹溝に回動自在に嵌着された回動軸１５２を抜止め係止している。
【００８３】
次に、図示された実施の形態の作用効果を、主として図６乃至図１２を参照して説明する。
【００８４】
図６乃至図８に示されるように、ランプハウジング１０３の１対の凹溝部１２３にランプホルダ１０２の１対の凸条部１３５を嵌合することにより、ランプハウジング１０３とランプホルダ１０２とを位置合せして、ランプハウジング１０３の下面の開口部１１５より内部に、ランプ１０１を保持したランプホルダ１０２を嵌入する。
【００８５】
このとき、先ず、図１０から図１１に示されるように、ロック解除杆１２８がコネクタホルダ１１２内に挿入され、ロック解除杆１２８は、板ばね１６１のカム面１７２に当接し、この板ばね１６１の付勢力に抗して、そのカム面１７２を押圧しながら上昇し、板ばね１６１の係止板部１６６をコネクタホルダ内側板部１１２Ｂから離れる方向に変位させる。
【００８６】
板ばね１６１の係止板部１６６がコネクタホルダ内側板部１１２Ｂから離れる方向に変位すると、図１０または図１４に示されるように係止板部１６６の孔部１６７内に係合されていたシャッタ１５１の係合片部１５５が、図１１に示されるように孔部１６７内から外れて、ロック状態から開放される。
【００８７】
この開放状態で、図７に示されるようにシャッタ押動杆１２９がシャッタ１５１に当接し、さらにランプホルダ１０２がランプハウジング１０３へ挿入され続けると、シャッタ押動杆１２９により押圧されたシャッタ１５１は、回動軸１５２を中心に上方へ回動し、コネクタホルダ１１２の開口部１１９が開口される。
【００８８】
そうして、さらにランプホルダ１０２をランプハウジング１０３に挿入すると、図８および図９に示されるように、ランプハウジング１０３の雌型電源コネクタ１１１Ａにランプホルダ１０２の雄型電源コネクタ１１１Ｂが接続され、ランプ１０１が通電可能状態となる。
【００８９】
このように、ランプホルダ１０２をランプハウジング１０３に装着するときは、ロック解除手段１７３のロック解除杆１２８により、開放禁止手段１６９の板ばね１６１の孔部１６７がシャッタ１５１の係合片部１５５を係止したロック状態を解除するとともに、このロック解除されたシャッタ１５１をシャッタ開放手段としてのシャッタ押動杆１２９により開放方向に押圧するので、コネクタホルダ１１２の開口部１１９にシャッタ１５１があるにもかかわらず、このシャッタ１５１をランプホルダ１０２の差込操作と連動して開きながら、雄型電源コネクタ１１１Ｂを雌型電源コネクタ１１１Ａに容易に接続できるとともに、ランプホルダ１０２をランプハウジング１０３に容易に装着できる。
【００９０】
一方、ランプホルダ１０２をランプハウジング１０３から取外す際には、まず、ランプホルダ１０２の雄型電源コネクタ１１１Ｂが、ランプハウジング１０３の雌型電源コネクタ１１１Ａから抜ける。
【００９１】
さらに、ランプホルダ１０２をランプハウジング１０３から取外す方向に移動すると、シャッタ押動杆１２９が下降するにしたがって、シャッタ１５１は、ばね１５７の付勢力により開口部１１９側に回動し、最後はこの開口部１１９を閉鎖する。
【００９２】
このとき、図１３および図１４に示されるように、ロック解除杆１２８が板ばね１６１のカム面１７２から外れると、板ばね１６１は、自己の復元力によりコネクタホルダ内側板部１１２Ｂ側に復帰するので、その係止板部１６６の孔部１６７がシャッタ１５１の係合片部１５５と嵌合し、孔部１６７の内縁により係合片部１５５を係止する。
【００９３】
この孔部１６７の内縁によって係合片部１５５が係止された状態のときは、コネクタホルダ１１２の開口部１１９から挿入した手指、工具などの異物でシャッタ１５１を押しても、このシャッタ１５１は開かないので、そのような異物が、コネクタホルダ１１２内にある雌型電源コネクタ１１１Ａの電極に触れるおそれを確実に防止できる。
【００９４】
特に、雌型電源コネクタ１１１Ａの電極は、絶縁性樹脂で成形された筒体１４２の内部に設けられているので、これを雄型電源コネクタとした場合に比べ、手指、工具などの異物が電極に触れるおそれを、より確実に防止できる。
【００９５】
このように、ランプホルダ１０２がランプハウジング１０３から取外されたときに、シャッタ閉鎖手段１６０のばね１５７によりシャッタ１５１をコネクタホルダ１１２の開口部１１９側に作動させてこの開口部１１９を閉鎖するとともに、この閉鎖状態にあるシャッタ１５１の係止片部１５５を開放禁止手段１６９の板ばね１６１の係止板部１６６により開放しないようにロックするので、シャッタ１５１の閉鎖状態を確実に維持して、雌型電源コネクタ１１１Ａに手指、工具などの異物が触れるおそれを確実に防止できる。
【００９６】
以上のように、光源装置１００、導光装置２００、光変調・合成装置３００および投射光学系４００を備えたプロジェクタ装置１において、光源装置１００の雌型電源コネクタ１１１Ａをコネクタホルダ１１２で覆うとともに、ランプハウジング１０３からランプホルダ１０２が取外されたときは、コネクタホルダ１１２の開口部１１９をシャッタ１５１で閉じるようにしたので、光源装置１００のランプ１０１を交換する際などに、このシャッタ１５１によって、雄型電源コネクタ１１１Ｂから切離状態にある雌型電源コネクタ１１１Ａに手指、工具などの異物が触れるおそれを防止できる。ひいては、感電や電極短絡などの事故を防止できる。
【００９７】
【発明の効果】
請求項１記載の発明によれば、電源側ランプ電源コネクタをコネクタホルダで覆うとともに、ランプハウジングからランプホルダが取外されたときは、コネクタホルダの開口部をシャッタで閉じるようにしたので、このシャッタによって、ランプ側ランプ電源コネクタから切離状態にある電源側ランプ電源コネクタに異物が触れるおそれを防止できる。
【００９８】
請求項２記載の発明によれば、ランプホルダがランプハウジングから取外されたときに、シャッタ閉鎖手段によりシャッタをコネクタホルダの開口部側に作動させてこの開口部を閉鎖するとともに、この閉鎖状態にあるシャッタを開放禁止手段により開放しないようにロックするので、シャッタの閉鎖状態を確実に維持して、電源側ランプ電源コネクタに異物が触れるおそれを確実に防止できる。
【００９９】
請求項３記載の発明によれば、ランプホルダをランプハウジングに装着するときにロック解除手段を機能させて開放禁止手段のロックを解除するとともに、このロック解除されたシャッタをシャッタ開放手段により開放方向に作動するので、シャッタがあるにもかかわらず、ランプ側ランプ電源コネクタを電源側ランプ電源コネクタに容易に接続できるとともに、ランプホルダをランプハウジングに容易に装着できる。
【０１００】
請求項４記載の発明によれば、電源側ランプ電源コネクタを雌型電源コネクタとしたので、雄型電源コネクタとした場合に比べ、異物が電極に触れるおそれを、より確実に防止できる。
【０１０１】
請求項５記載の発明によれば、光源装置、導光装置、光変調・合成装置および投射光学系を備えた投射型表示装置において、光源装置のランプを交換する際などに、ランプ側ランプ電源コネクタから切離状態にある電源側ランプ電源コネクタに異物が触れるおそれをシャッタによって防止できる。
【図面の簡単な説明】
【図１】本発明に係る投射型表示装置の一実施の形態を示す一部切欠の斜視図である。
【図２】本発明に係る光源装置のランプハウジングの一実施の形態を示す斜め上側から見た状態の斜視図である。
【図３】同上ランプハウジングを斜め下側から見た状態の斜視図である。
【図４】本発明に係る光源装置のランプホルダの一実施の形態を示す斜め上側から見た状態の斜視図である。
【図５】同上ランプホルダを斜め下側から見た状態の斜視図である。
【図６】本発明に係る光源装置のランプハウジングに対するランプホルダ挿入開始状態を示す一部切欠の斜視図である。
【図７】同上光源装置のランプハウジングに対するランプホルダ挿入途中状態を示す一部切欠の斜視図である。
【図８】同上光源装置のランプハウジングに対するランプホルダ挿入完了状態を示す一部切欠の斜視図である。
【図９】同上光源装置のランプハウジングに対するランプホルダ挿入完了状態を示す別の一部切欠例の斜視図である。
【図１０】同上光源装置のランプハウジングに対するランプホルダ挿入開始状態を示すコネクタホルダ部分の斜視図である。
【図１１】同上光源装置のランプハウジングに対するランプホルダ挿入途中状態を示すコネクタホルダ部分の斜視図である。
【図１２】同上光源装置のランプハウジングに対するランプホルダ挿入完了状態を示すコネクタホルダ部分の斜視図である。
【図１３】図６の一部を拡大した斜視図である。
【図１４】図１０の一部を拡大した斜視図である。
【符号の説明】
１００    光源装置
１０１    ランプ
１０２    ランプホルダ
１０３    ランプハウジング
１１１Ａ  電源側ランプ電源コネクタとしての雌型電源コネクタ
１１１Ｂ  ランプ側ランプ電源コネクタとしての雄型電源コネクタ
１１２    コネクタホルダ
１１９    開口部
１２９    シャッタ開放手段としてのシャッタ押動杆
１５１    シャッタ
１６０    シャッタ閉鎖手段
１６９    開放禁止手段
１７３    ロック解除手段
２００    導光装置
３００    光変調・合成装置
４００    投射光学系
【図１】
2004233565.tif 000003
【図２】
2004233565.tif 000004
【図３】
2004233565.tif 000005
【図４】
2004233565.tif 000006
【図５】
2004233565.tif 000007
【図６】
2004233565.tif 000008
【図７】
2004233565.tif 000009
【図８】
2004233565.tif 000010
【図９】
2004233565.tif 000011
【図１０】
2004233565.tif 000012
【図１１】
2004233565.tif 000013
【図１２】
2004233565.tif 000014
【図１３】
2004233565.tif 000015
【図１４】
2004233565.tif 000016